(57)【要約】      （修正有）【課題】管状発光具の多数の点光源を外部制御で点滅制御し且つ多数の点光源を任意に選択的に点滅制御すること。【解決手段】多数の点光源２を透明管状体１に内蔵した管状発光具において、２本の給電線に加えて通信線を内蔵するとともに、個々の点光源ごとにマイコンチップ４を内蔵し、前記マイコンチップを通信線５を介して管状体外部よりの制御で個々の点光源と給電線とのオンオフ接続を制御することを特徴とする外部制御式管状発光具。通信線を複数本とし、マイコンチップごとに色彩種別の異なる複数個の点光源を装備して、マイコンチップごとに複数個の色彩の合成による発光を行なうことを特徴とする。【選択図】図１
2004354852.tif 000002
【特許請求の範囲】
【請求項１】
多数の点光源を透明管状体に内蔵した管状発光具であって、
２本の給電線に加えて通信線を内蔵するとともに、個々の点光源ごとにマイコンチップを内蔵し、
前記マイコンチップを通信線を介して管状体外部よりの制御で個々の点光源と給電線とのオンオフ接続を制御することを特徴とする外部制御式管状発光具。
【請求項２】
通信線を複数本とし、マイコンチップごとに色彩種別の異なる複数個の点光源を装備して、マイコンチップごとに複数個の色彩の合成による発光を行なうことを特徴とする請求項１に記載する外部制御式管状発光具。
【請求項３】
前記マイコンチップは、
個々の点光源を特定するための個別化データを記録する個別化データ記録手段、入力信号に含まれる点滅すべき点光源を指示する指示個別化データが個別化データ記録手段の記録個別化データとの一致を判別する判別手段、
判別手段より一致判別手段の発生に際して入力信号の指示個別化データに連続するＯＮＯＦＦ信号にもとづきＯＮＯＦＦ信号を発生するＯＮＯＦＦ信号発生手段、
ＯＮＯＦＦ信号発生手段よりのＯＮＯＦＦ信号にもとづき点光源の点滅を制御する、点光源回路に対する回路切断制御手段、の機能を有するマイクロコンピュータを構成することを特徴とする請求項１、２に記載する外部制御式管状発光具。
【請求項４】
多数の点光源を透明管状体に、２本の給電線に加えて通信線を内蔵するとともに、個々の点光源ごとにマイコンチップを内蔵し、前記マイコンチップを通信線を介して管状体外部よりの制御で個々の点光源と給電線とのオンオフ接続を制御することにより、外部制御式管状発光具を構成し、
複数本の上記外部制御式管状発光具を平行配置して、点光源を面配置とし、個々の点光源をマトリクス状配置による面状表示面を形成し、
電光表示を可能としたことを特徴とする、外部制御式管状発光具の平行配置による電光表示装置。
【請求項５】
通信線を複数本とし、マイコンチップごとに色彩種別の異なる複数個の点光源を装備して、マイコンチップごとに複数個の色彩の合成による発光を行なうことを特徴とする請求項４に記載する外部制御式管状発光具。
【請求項６】
面状表示面が平面矩形の形状で、進行方向の誘導表示を行うことを特徴とする請求項４、５に記載する電光表示装置。
【請求項７】
面状表示面が円筒体部分形状で、動的変化の模様表示を行うことを特徴とする請求項４、５に記載する電光表示装置。
【請求項８】
前記マイコンチップは、
個々の点光源を特定するための個別化データを記録する個別化データ記録手段、入力信号に含まれる点滅すべき点光源を指示する指示個別化データが個別化データ記録手段の記録個別化データとの一致を判別する判別手段、
判別手段より一致判別の発生に際して入力信号の指示個別化データに連続するＯＮＯＦＦ信号にもとづきＯＮＯＦＦ信号を発生するＯＮＯＦＦ信号発生手段、
ＯＮＯＦＦ信号発生手段よりのＯＮＯＦＦ信号にもとづき点光源の点滅を制御する、点光源回路に対する回路切断制御手段、の機能を有するマイクロコンピュータを構成することを特徴とする請求項４、５、６、に記載する外部制御式管状発光具。
【発明の詳細な説明】
【０００１】
【発明の属する技術分野】
本願発明は、多数の点光源を透明チューブに内蔵して形成される管状発光具に関するものである。
【０００２】
【従来の技術】
この種の管状発光具に関して、クリスマスツリー用の装飾光源、工事現場表示用の点光源として、透明チューブに発光ダイオードを内装し、多数の点光源をランダムに点滅させる発光電飾装置が公知である。
また、この種の管状発光具に関して、登録実用新案公報第３００１８４２号「展示物引立用管状発光具」（特許文献１）が公知である。
【０００３】
【特許文献１】
登録実用新案公報第３００１８４２号
【０００４】
【発明が解決すべき課題】
公知の発光電飾装置は多数の点光源をランダムに点滅させ、特許文献１の管状発光具はオンオフスイッチを外部からの操作により点滅制御するものであるが、管内のすべての点光源を同時に点滅制御するものである。
本発明は、管状発光具の多数の点光源を外部制御で点滅制御し且つ多数の点光源を任意に選択的に点滅制御することを課題とする。
【０００５】
【課題を解決するための手段】
本願第１発明は、多数の点光源を透明管状体に、２本または複数本の給電線に加えて通信線を内蔵するとともに、個々の点光源ごとにマイコンチップを内蔵し、前記マイコンチップを通信線を介して管状体外部よりの制御で個々の点光源と給電線とのオンオフ接続を制御することにより、外部制御式管状発光具を構成する。
【０００６】
本願第２発明は、本願第１発明の外部制御式管状発光具を複数本使用し、且つ平行配置して、点光源を面配置とし、個々の点光源をマトリクス状配置による面状表示面を形成することで、電光表示を可能としたことを特徴とする。
【０００７】
【発明の実施の形態】
本願第１の発明は、透明または半透明ビニールチューブに多数の点光源（発光ダイオード）をほぼ等間隔で内装すると共に、個々の点光源ごとに作用するマイコンチップを内装する。更に、透明ビニールチューブに２本の給電線に加えて通信線を内蔵する。
前記マイコンチップを通信線を介して管状体外部よりの制御して、個々の点光源に対するマイコンチップのスイッチ機能を制御することで、点光源と給電線とのオンオフ接続を制御することにより、透明または半透明ビニールチューブに多数の点光源（発光ダイオード）を外部制御により点滅制御する。
【０００８】
本願第２の発明は、複数本の請求項１の上記外部制御式管状発光具を平行配置して、点光源を面配置とし、点光源をマトリクス状配置とすることで、平面状または曲面状の面状表示面を形成する。面状表示面のマトリクス状配置の点光源の点滅制御により電光表示面を構成して、非常用、工事用の進路案内表示を行う。また、曲面表示の模様の動画的変化を行う。
【０００９】
前記マイコンチップは、個々の点光源を特定するための個別化データを記録する個別化データ記録手段、入力信号に含まれる点滅すべき点光源を指示する指示個別化データが個別化データ記録手段の記録個別化データとの一致を判別する判別手段、判別手段より一致判別の発生に際して入力信号の指示個別化データに連続するＯＮＯＦＦ信号にもとづきＯＮＯＦＦ信号を発生するＯＮＯＦＦ信号発生手段、ＯＮＯＦＦ信号発生手段よりのＯＮＯＦＦ信号にもとづき点光源の点滅を制御する回路切断制御手段、の機能を有するマイクロコンピュータを構成する。
【００１０】
【実施例】
以下図面に示す実施例にもとづいて、本願発明を詳細に説明する。
図１を参照して、透光性管状体として、透明または半透明ビニールチューブ１を使用して、可撓性を有して変形自在な管状体とする。
【００１１】
前記ビニールチューブ１に多数の点光源（発光ダイオード）２をほぼ等間隔で内装する。
点光源（発光ダイオード（ＬＥＤ））２の内装にあたり、基板３をほぼ等間隔で内装し、各基板３に、点光源２と共に、マイコンチップ（ＩＣ）４を内装する。
【００１２】
ビニールチューブ１に、３本の導線５を内装する。すなわち、信号▲１▼＋５Ｖ電源の第１信号線５ａ、０Ｖ電源の第２信号線５ｂ、通信用の信号線５ｃの３本の信号線を内装する。
【００１３】
ＩＣ４の寸法、基板３の外形、信号線５を通すスペースを考えるとビニールチューブ１の内径は、最低２５ｍｍ程度は必要である。
【００１４】
ビニールチューブ１の長さが１０ｍ以上の場合は、差動で信号を送る必要から信号線５の本数は４本となる。
【００１５】
ビニールチューブ１の３本または４本の通信線５は、外部の制御装置８および電源９に接続する。
【００１６】
マイコンチツプ（ＩＣ）を内装することで、外部より点光源（ＬＥＤ）の点滅を制御することができる。その制御は外部制御装置のソフトウェアによっておこなわれる。同一の表示装置であってもソフトウエアを交換することで、あらゆる用途の表示装置として利用できる。
【００１７】
基板に実装されるマイコンチップ（ＩＣ）の規模（大きさなど）により、一つの基板に実装される点光源（ＬＥＤ）の数が変化する。用途に応じたマイコンチップ（ＩＣ）を採用すれば、小規模から大規模・単色・複数色・フルカラーの表示装置と、あらゆる用途の表示装置を構成できる。
【００１８】
外部制御装置と基板（内装マイコンチップ）は１本ないし数本の通信線で接続される。マイコンチップ（ＩＣ）は通信線を介して表示データを受信し表示する。この動作を繰り返すことで、動画的な表現も行うことができる。
【００１９】
図２に示す実施例においては、透光性管状体（透明または半透明ビニールチューブ）１内に内蔵する導線を、信号線の本数を５本とする。すなわち、信号▲１▼＋５Ｖ電源の第１信号線５ａ、０Ｖ電源の第２信号線５ｂ、通信用の信号線は３本として、クロック信号線５ｃ１、データ信号線５ｃ２およびラッチ信号線５ｃ３を内装する。
【００２０】
ビニールチューブ１の長さが１０ｍ以上の場合は、差動で信号を送る必要から信号線５の本数は８本となる。
【００２１】
上記の５本または８本の信号線は、外部の制御装置８および電源９に接続する。
【００２２】
基板４は、１枚で８個のＬＥＤ２の点滅を制御できる。
【００２３】
図３を参照して、マイコンチップ（ＩＣ）４は、個々の点光源を特定するための個別化データを記録する個別化データ記録手段１１、入力信号に含まれる点滅すべき点光源を指示する指示個別化データが個別化データ記録手段１１の記録個別化データとの一致を判別する判別手段１２、判別手段１２より一致判別の発生に際して入力信号の指示個別化データに連続するＯＮＯＦＦ信号にもとづきＯＮＯＦＦ信号を発生するＯＮＯＦＦ信号発生手段１３、ＯＮＯＦＦ信号発生手段１３よりのＯＮＯＦＦ信号にもとづき点光源の点滅を制御する点光源回路２ａの回路切断制御手段１４、の機能を有するマイクロコンピュータ１０を構成する。
【００２４】
個々のマイコンチップ（ＩＣ）４に対して、グループ種別▲１▼▲２▼▲３▼・・・・、番地指定０１，０２、０３・・・を決定し、個別化データ記録手段１１に、２値データで個々に特定して記録する。
【００２５】
外部の制御装置８は、点光源の点滅プログラムを記録し、該点滅プログラムに従って図５に示す点滅制御信号を発生する。即ち、点滅操作すべきマイコンチップ（ＩＣ）４のグループ種別・番地を指定する信号Ａと、信号Ａに連続する連続信号ＡＡ［ＯＮＯＦＦ制御信号｛「Ｈ」または「Ｌ」｝］を発生する。図５の第１段では、信号Ａは「１０００」、連続信号ＡＡは「１１」でＯＮ信号Ｐであり、第２段では、信号Ａは「０１０１」、ＯＮＯＦＦ制御信号は「００」でＯＦＦ信号Ｑである。
【００２６】
マイコンチップ（ＩＣ）４は、個別化データ記録手段１１に個々の点光源を特定するための個別化データが記録されている。この個別化データ記録手段１１に記録されている個別化データと、入力信号に含まれる点滅すべき点光源を指示する指示個別化データＡの一致・不一致を判別手段１２が判別する。
判別手段１２より一致判別に際して入力信号の指示個別化データに連続するＯＮＯＦＦ信号Ｈ・Ｌを、点光源回路に対する回路切断制御手段１４に送り込む。
回路切断制御手段１４は、ＯＮＯＦＦ信号Ｈ・Ｌにもとづき点光源の点滅を制御する。
【００２７】
点光源２の点灯開始に際し、図５の（ａ）の信号Ａ「０１」および連続信号ＡＡ「１１」ＯＮ信号Ｐを信号線に送りだす。
種別・番地「１０００」に対応するマイコンチップ（ＩＣ）４は、図４を参照して、ステップＳ１により指定種別・番地に該当するとき、連続信号ＡＡ［ＯＮＯＦＦ信号Ｈ・Ｌ］をＯＮＯＦＦ信号発生手段１３に送り込む。
ステップＳ２により断接制御手段１４にＯＮ信号ＰまたはＯＦＦ信号Ｑを送り込み、点灯回路２ａを開閉制御する
かくして、種別・番地「０１」に対応するマイコンチップ（ＩＣ）４は、図６に示すごとく、点灯開始、消灯のタイミングが制御されることとなる。
【００２８】
図２に示す実施例では、個々の基板について複数個の点光源（ＬＥＤ）が装備され、数本の通信線が接続されていることで、上述のマイコン制御は、個々の基板につき複数個の点光源（ＬＥＤ）に対して実施されて、多色表示、フルカラー表示装置が構成されることとなる。
【００２９】
図７は、本発明の外部制御式管状発光具Ａ１を、車両・人の避難誘導、工事現場迂回等に際しての進行方向の誘導表示として使用した場合を示し、適宜の支持部材Ｂの上端に固定することで利用可能である。
従来のランダム点滅と異なり、方向指示を点滅タィミングの制御により表示できるものである。
【００３０】
図８は、本発明の外部制御式管状発光具Ａ１を、複数本を平行配置することにより、点光源２を面配置とし、個々の点光源２をマトリクス状配置による面状表示面Ｃを形成する。
【００３１】
図９に示すごとく、電光表示を可能とし、矢印αを点βとともにイ方向に進行表示することで、避難誘導等に際しての、進行方向をより明確に表示する。
図１１に示す番地指定の点光源に対して、外部の制御装置８に設定記録されているプログラムに基づき、通信線を介してマイコン制御で点滅操作することで、任意の電光表示が自在である。
【００３２】
図１０に示す如く、面状表示面が円筒体部分形状Ｒを形成することで、理髪店看板の如く、動的変化の模様表示を表示可能とする。
【００３３】
【効果】
本発明は、公知の発光電飾装置のごとく、多数の点光源をランダムに点滅させるものではなく、点光源の点滅を外部からの操作により点滅制御することで、任意の点滅パターンで点光源を点滅制御するものであるから、電光表示を移動させ動的に変化する進行方向の表示、広告としての動的模様の表示により、多数の点光源による各種の表示を明確にする効果を有する。
【図面の簡単な説明】
【図１】本願発明の第１実施例の外部制御式管状発光具の大要構成図。
【図２】同じく第２実施例の外部制御式管状発光具の大要構成図。
【図３】マイコンチップの機能説明図。
【図４】同じく作用動作を示すフローチャート。
【図５】信号波形の説明図で、ａ図はＯＮ信号、ｂ図はＯＮ信号である。
【図６】点灯開始、消灯のタイミング制御の説明図。
【図７】誘導表示手段としての、本願発明の外部制御式管状発光具の使用例を示す説明図。
【図８】面状表示面としての、本願発明の外部制御式管状発光具の使用例を示す説明図。
【図９】電光表示装置としての実施例の説明図。
【図１０】円筒表示装置としての実施例の説明図。
【図１１】電光表示面にたいする番地指定制御の説明図。
【符号の説明】
１    透光性管状体（透明または半透明ビニールチューブ）
２    点光源（発光ダイオード）
３    基板
４    マイコンチップ（ＩＣ）
５    導線（信号線）
８    外部の制御装置
９    電源
Ａ    外部制御式管状発光具
Ｃ    面状表示面
Ｐ    ＯＮ信号
Ｑ    ＯＦＦ信号
【図１】
2004354852.tif 000003
【図２】
2004354852.tif 000004
【図３】
2004354852.tif 000005
【図４】
2004354852.tif 000006
【図５】
2004354852.tif 000007
【図６】
2004354852.tif 000008
【図７】
2004354852.tif 000009
【図８】
2004354852.tif 000010
【図９】
2004354852.tif 000011
【図１０】
2004354852.tif 000012
【図１１】
2004354852.tif 000013